(57)【特許請求の範囲】
【請求項１】
一対の脚部により、テーブル板受具を介してテーブル板を支持してなり、前記テーブル板受具の両側箇所に、テーブル板受具中央に指向して下降傾斜させるように傾斜長穴を設けて、この傾斜長穴に移動可能に挿通した支軸を中心として前記脚部を折り畳み可能に構成し、前記脚部は、それぞれ第１の脚杆に対して第２の脚杆を進退可能に構成して、前記第２脚杆を同期的に昇降させる昇降同期手段を具備し、この昇降同期手段は、前記脚部における折り畳み中心軸である支軸を回転軸とする上部プーリと前記第２脚杆下端側内面に軸着した下部プーリとこれら上部プーリ下部プーリ間に線状部材を掛け渡して、この線状部材を前記第１脚杆側に固定する構成としたことを特徴とする脚部折り畳み機能を有するテーブル装置。
【請求項２】
前記脚部における第１脚杆内に昇降動作を拘束したり拘束解除する昇降補助手段を設け、この昇降補助手段の拘束作用を解除する解除操作手段を、前記昇降補助手段を配置した脚部側と、前記昇降補助手段を配置しない脚部側に配置し、これら双方の解除操作手段を、前記支軸を回転軸とするガイドプーリを介して掛け渡した線状部材により互いに連結する構成としたことを特徴とする請求項１記載の脚部折り畳み機能を有するテーブル装置。
【請求項３】
前記脚部における第１脚杆内に昇降動作を拘束したり拘束解除する昇降補助手段を設け、この昇降補助手段の拘束作用を解除する解除操作手段を、前記昇降補助手段を配置した脚部側と、前記昇降補助手段を配置しない脚部側に配置し、前記昇降補助手段を配置した脚部側の解除操作手段に、直接前記昇降補助手段に作用する拘束解除作動部材を同軸的に配置して、前記昇降補助手段を設けた脚部側の解除操作手段を操作することで、この拘束解除作動部材を連動させて昇降補助手段の拘束解除を行なう構成とする一方、前記拘束解除作動部材を、前記昇降補助手段を配置しない脚部側の解除操作手段によって操作可能とするべく、この解除操作手段と、前記脚部の折り畳み中心軸としての支軸に配置したガイドプーリを介し、線状部材により連結することを特徴とする請求項１記載の脚部折り畳み機能を有するテーブル装置。
【発明の詳細な説明】
【０００１】
【発明の属する技術分野】
本発明は、ベッドのボトム上方に跨ぐようにもたらして使う、脚部折り畳み機能を有するテーブル装置に関し、特に、部品点数も減らして組み立て工程も容易とした、脚部折り畳み機能を有するテーブル装置に関するものである。
【０００２】
【従来の技術】
従来より、病院においても家庭内においても、ベッドのボトム上方に跨ぐようにもたらして使う、オーバーベッドテーブルがある。
かかるオーバーベッドテーブルとしては、特開平７−２６５１３４号公報で開示されるような折り畳み機能を備えたものが提案されている。
すなわちこのオーバーベッドテーブルでは、左右一対の伸縮脚の折り畳み中心軸と、前記一対の伸縮脚を同期的に伸縮させる機構である、線条体を掛け渡してなる上側滑車の回転中心軸とを別々に構成して、伸縮脚の折り畳みに伴って、前記線条体が緩むように、折り畳み中心軸を前記上側滑車の回転中心軸より水平方向内側に配置するようにしている。
【０００３】
【発明が解決しようとする課題】
このように、上記オーバーベッドテーブルの伸縮脚の折り畳み構造では、双方の伸縮脚を同期的に伸縮させる機構を構成する線条体が緩むように上側滑車の回転軸より内側に折り畳み軸を別個に設けたことで部品点数が多く、加工工程数も増加する結果となっている。
本発明は、このような不都合を改善するために提案されたものであって、脚部をより簡敏な折り畳み機構とし、部品点数も減らして組み立て工程も容易とした、脚部折り畳み機能を有するテーブル装置を提供することを目的とする。
【０００４】
【課題を解決するための手段】
前記した課題を解決するために、本発明では、請求項１において、一対の脚部により、テーブル板受具を介してテーブル板を支持してなり、前記テーブル板受具の両側箇所に、テーブル板受具中央に指向して下降傾斜させるように傾斜長穴を設けて、この傾斜長穴に移動可能に挿通した支軸を中心として前記脚部を折り畳み可能に構成し、前記脚部は、それぞれ第１の脚杆に対して第２の脚杆を進退可能に構成して、前記第２脚杆を同期的に昇降させる昇降同期手段を具備し、この昇降同期手段は、前記脚部における折り畳み中心軸である支軸を回転軸とする上部プーリと前記第２脚杆下端側内面に軸着した下部プーリとこれら上部プーリ下部プーリ間に線状部材を掛け渡して、この線状部材を前記第１脚杆側に固定する構成とした脚部折り畳み機能を有するテーブル装置を提案する。
また本発明では、請求項２において、前記脚部における第１脚杆内に昇降動作を拘束したり拘束解除する昇降補助手段を設け、この昇降補助手段の拘束作用を解除する解除操作手段を、前記昇降補助手段を配置した脚部側と、前記昇降補助手段を配置しない脚部側に配置し、これら双方の解除操作手段を、前記支軸を回転軸とするガイドプーリを介して掛け渡した線状部材により互いに連結する構成とした脚部折り畳み機能を有するテーブル装置を提案する。
さらに本発明では、請求項３において、前記脚部における第１脚杆内に昇降動作を拘束したり拘束解除する昇降補助手段を設け、この昇降補助手段の拘束作用を解除する解除操作手段を、前記昇降補助手段を配置した脚部側と、前記昇降補助手段を配置しない脚部側に配置し、前記昇降補助手段を配置した脚部側の解除操作手段に、直接前記昇降補助手段に作用する拘束解除作動部材を同軸的に配置して、前記昇降補助手段を設けた脚部側の解除操作手段を操作することで、この拘束解除作動部材を連動させて昇降補助手段の拘束解除を行なう構成とする一方、前記拘束解除作動部材を、前記昇降補助手段を配置しない脚部側の解除操作手段によって操作可能とするべく、この解除操作手段と、前記脚部の折り畳み中心軸としての支軸に配置したガイドプーリを介し、線状部材により連結する脚部折り畳み機能を有するテーブル装置を提案する。
【０００５】
請求項１によれば、一対の脚部を互いに折り畳んでいくと、脚部は、テーブル板受具の両側箇所に、テーブル板受具中央に指向して傾斜させるように設けた傾斜長穴に沿って支軸が移動しながらこの支軸を中心として倒伏し、前記脚部を折り畳むことができる。
前記支軸は、昇降同期手段を構成する上部プーリの上部プーリの回転軸を兼ねておりそれだけ部品点数を減らすことができる。
また、脚部を折り畳んでいくことにより、前記支軸は傾斜長穴に沿ってテーブル板受具中央に指向して移動するので、上部プーリ、下部プーリ間に掛け渡された線状部材は緩むが、その分、前記上部プーリに線状部材が巻き取られることで線状部材の緩みを解消することができる。
【０００６】
請求項２によれば、脚部における折り畳み中心軸である支軸は、脚部の昇降補助手段を、双方の昇降補助手段により連動操作可能とするための、伝達手段である線状部材のガイドプーリの回転中心軸を兼ねたことにより、それだけ部品点数を減らすことができる。
【０００７】
請求項３によれば、脚部における折り畳み中心軸である支軸は、脚部の昇降補助手段を、昇降補助手段を配置しない脚部側に配置した解除操作手段により操作可能とするための、伝達手段である線状部材のガイドプーリの回転中心軸を兼ねたことにより、それだけ部品点数を減らすことができる。
【０００８】
【発明の実施の形態】
次に、本発明にかかる脚部折り畳み機能を有するテーブル装置について、一つの実施の形態を示し、添付の図面に基づいて以下説明する。
図１に脚部折り畳み機能を有するテーブル装置１を示し、この脚部折り畳み機能を有するテーブル装置１は、一対の脚部２，２によってテーブル板受具３を介してテーブル板４を支持すると共に、前記テーブル板受具３に設けた傾斜長穴５，５に移動可能に挿通した支軸６，６を中心としてそれぞれ折り畳み可能に構成している。
【０００９】
前記一対の脚部２，２は、基端側にキャスタＣを介して床面に接地する基部フレーム７を取り付けた第１の脚杆８に対して第２の脚杆９を、昇降ガイドユニット（図示省略）を介して進退自在に構成している。
また、前記一対の脚部２，２は、昇降同期手段１０によって、それぞれ第１脚杆８に対して第２脚杆９を同期的に昇降させる構成としている（図２参照）。
さらにかかる一対の脚部２，２の片方、すなわち第１脚杆８内には第１脚杆８に対して第２脚杆９を所望の位置において拘束したり、拘束解除して自由に昇降させるようにした昇降補助手段１１を内蔵し、前記テーブル板４の両側テーブル板受具３に、前記昇降補助手段１１を拘束解除操作するための解除操作手段１２をそれぞれ配置している。
【００１０】
前記昇降同期手段１０は、前記第２脚杆９下端側内面に軸着した下部プーリ１３，１３と、脚部２，２の折り畳み中心軸としての支軸６，６に設けた上部プーリ１４，１４と、これら上部プーリ１４，１４および下部プーリ１３，１３間に掛け渡した線状部材１５とを備え、この線状部材１５を前記第１脚杆８側に固定した構成としている。
【００１１】
また前記昇降補助手段１１としては、ここではガススプリングを用いている。すなわち昇降補助手段１１は、前記第１脚杆８内に固設したガス封入シリンダ１６を有し、このシリンダ１６にガス圧によって支持されると共に、シリンダ１６から緩衝的に進退可能に突出するピストンロッド１７を有する。このピストンロッド１７先端部には、ピストンロッド１７を拘束／拘束解除するためのロック手段を構成する操作軸１８を突出させている（図３参照）。
【００１２】
また前記テーブル板４の両側テーブル板受具３に設けた双方の解除操作手段１２のうち、昇降補助手段１１を設けた脚部２側の解除操作手段１２には、直接前記昇降補助手段１１における操作軸１８を押し込む拘束解除作動部材１９を同軸的に配置して、前記昇降補助手段１１を設けた脚部２側の解除操作手段１２を操作することで、この拘束解除作動部材１９を連動させて昇降補助手段１１における操作軸１８を押し込んでロック解除を行なうようにしている。かかる拘束解除作動部材１９は、前記昇降補助手段１１を設けていない脚部２側の解除操作手段１２によって操作できるようにするために、この解除操作手段１２と、前記脚部２，２の折り畳み中心軸としての支軸６，６に配置したガイドプーリ２０，２０を介し、線状部材１５により連結している。
【００１３】
そして、前記テーブル板受具３に設けた傾斜長穴５，５は、前記テーブル板受具３の両側箇所に、テーブル板受具３中央に指向して下降傾斜させるように形成している。
【００１４】
以上のように脚部折り畳み機能を有するテーブル装置１は構成されるので、テーブル装置１の使用に際し、使用者はベッドにおけるボトムの高さにテーブル板４の高さを、昇降補助手段１１を双方の解除操作手段１２のうち、いずれかの解除操作手段１２により解除操作して、第２脚杆９を上げ下げして合わせることができる。
すなわち前記解除操作手段１２を操作すると、ピストンロッド１７の操作軸１８を押し込むので、ピストンロッド１７の拘束状態が解除され、第１脚杆８に対し第２脚杆９を自由に昇降させる状態とすることができる。このとき、一対の脚部２，２は、昇降同期手段１０によって、第２脚杆９を同期的に昇降させることができ、テーブル板受具３を介してテーブル板４を上下降させていくことができる。
このようにしてテーブル板４が所望の高さに至ったら、解除操作手段１２から手を離せば、解除操作手段１２がピストンロッド１７の操作軸１８から離脱するので、ピストンロッド１７は再び拘束状態となり、テーブル板４をその調節した位置で保持することができる。
【００１５】
そして、前記テーブル装置１を使用しないときは、そのままベッド傍らへ寄せて置いておくことができる。また、長期にわたり使用しないときは、一対の脚部２，２を折り畳んで倉庫等に保管することができる。
先ず、解除操作手段１２を操作して、前記一対の脚部２，２を下降させ、前記テーブル板４の高さを最低高さとする（図３参照）。
次いでテーブル装置１をひっくり返し、前記テーブル板４の上面を床面に着け、脚部２，２を上方へ向ける。
そして、一対の脚部２，２をそれぞれテーブル板受具３中央に指向して互いに折り畳むようにする。
すると、前記脚部２，２は、第１脚杆８頂部を取り付けた支軸６，６を中心として回転していき、前記支軸６，６は、テーブル板受具３中央に指向するように形成した傾斜長穴５，５に沿って移動し、折り畳んでいくことができる（図５参照）。
【００１６】
前記支軸６，６が、傾斜長穴５，５に沿って移動するに連れ、支軸６，６に取り付けられた昇降同期手段１０を構成する上部プーリ１４，１４も移動する。
すなわち、上部プーリ１４，１４は、テーブル板受具３中央に向かって傾斜長穴５，５に沿って移動した分、上部プーリ１４，１４に掛け渡された線状部材１５が緩むこととなるが、脚部２，２が折り畳まれていくことにより、前記線状部材１５は、上部プーリ１４，１４に巻き込まれていき、結果的に前記緩みが相殺される（図６参照）。
同様に、双方の解除操作手段１２間のガイドプーリ２０，２０も、前記支軸６，６と共に移動し、これらガイドプーリ２０，２０間に掛け渡された線状部材１５も緩むが、双方の解除操作手段１２と、拘束解除作動部材１９とは、テーブル板受具３側に折り畳まれる脚部２，２と共に、移動するので、緩みが吸収される。従って、脚部２，２を折り畳むことによって昇降同期手段１０の線状部材１５上部プーリ１４，１４から、また双方の解除操作手段１２間の線状部材１５がガイドプーリ２０，２０から外れるなどのトラブルは起こることはない。
【００１７】
以上のように、脚部２，２の折り畳み軸と昇降同期手段１０を構成する上部プーリ１４，１４、並びに双方の解除操作手段１２間のガイドプーリ２０，２０の回転軸心とを兼ねたことで、部品点数を減らすことができ、その分、製造加工工程も軽減することができる。
【００１８】
【発明の効果】
本発明によれば、
脚部を折り畳み可能な昇降調節脚自体の機構、より簡敏な折り畳み機構とし、部品点数も減らして組み立て工程も容易とすることができる。
【００１９】
【図面の簡単な説明】
【図１】  本発明にかかる脚部折り畳み機能を有するテーブル装置の、一つの実施形態を示す、外観斜視図である。
【図２】  図１に示すテーブル装置の側面説明図である。
【図３】  図２に示すテーブル装置の脚部の機構構成を示した、透視的側面説明図である。
【図４】  テーブル装置の脚部の取付箇所の、拡大側面説明図である。
【図５】  テーブル装置の脚部を折り畳んだ状態を示した、透視的側面説明図である。
【図６】  テーブル装置の脚部を折り畳んだ状態を示した、拡大断面説明図である。
【符号の説明】
１                          テーブル装置
２                          脚部
３                          テーブル板受具
４                          テーブル板
５                          傾斜長穴
６                          支軸
７                          基部フレーム
８                          第１脚杆
９                          第２脚杆
１０                        昇降同期手段
１１                        昇降補助手段
１２                        解除操作手段
１３                        下部プーリ
１４                        上部プーリ
１５                        線状部材
１６                        シリンダ
１７                        ピストンロッド
１８                        操作軸
１９                        拘束解除作動部材
２０                        ガイドプーリ
Ｃ                          キャスタ
【図１】
0003690679.tif 000002
【図２】
0003690679.tif 000003
【図３】
0003690679.tif 000004
【図４】
0003690679.tif 000005
【図５】
0003690679.tif 000006
【図６】
0003690679.tif 000007